(57)【特許請求の範囲】
【請求項１】
少なくとも表裏２枚のフィルムの周縁をシールして成る充填部とこの充填部に連設する嵌合部とを具備し、トリガータイプディスペンサー容器の所望部分に嵌合部で嵌合させ、容器に一体的に装着するようにした詰め替え用の包装袋であって、嵌合部には前記容器のトリガー並びに首部に嵌合させる穴を有すると共に、嵌合用の穴にトリガーと首部とを共に嵌合させた後にディスペンサーの頂部を包み込むように嵌合部を折り返すことにより、トリガータイプディスペンサー容器に一体的に装着できるようになっていることを特徴とする包装袋。
【請求項２】
充填部の高さはディスペンサーの天面までの高さと略同じで、しかも嵌合部の高さは、嵌合用の穴にトリガーと首部とを共に嵌合させた後にディスペンサーの頂部を包み込むように嵌合部を折り返してトリガータイプディスペンサー容器に装着したときに充填部の底部が容器の底部と略同一面に位置するように設定されていることを特徴とする請求項１に記載の包装袋。
【請求項３】
嵌合部の一部には、容器への装着時にディスペンサーの頂部を包み込むように嵌合部を折り返すとディスペンサーの天面に位置するように表示部が設けられていることを特徴とする請求項１および請求項２に記載の包装袋。
【発明の詳細な説明】
【０００１】
【発明の属する技術分野】
本発明は、シャンプー、洗剤等の液状物を充填する包装袋、さらに詳しくは、シャンプー、洗剤等の液状物を充填し、必要に応じてトリガーの揺動によりノズル先端から液状物を流出させるトリガータイプディスペンサー容器に補充する液状物を充填しておく詰め替え用の包装袋に関する。
【０００２】
【従来の技術】
従来、シャンプー、リンス、食器用洗剤、衣料用洗剤等の液状物をシリンダー内のピストンの往復運動により吸い上げ、加圧し、その適量をノズル先端から流出させるタイプのディスペンサー容器が種々の分野で使われている。
また、最近では資源の節約や経済的な側面から、充填されていた液状物が無くなった場合、その都度新しいディスペンサー容器を買い求めず、詰め替え用の包装袋に充填されている液状物を空になったディスペンサー容器に詰め替え、何回も容器を再使用することが行われている。
【０００３】
この詰め替え用の包装袋としては、プラスチックフィルム等の軟包装材料の周縁を溶融・接着等してなるスタンディングパウチやガゼット袋や三方シール袋等の袋が利用されている。
【０００４】
これらの詰め替え用の包装袋は、単品で売られていたり、図３や図４に示すように、ディスペンサー容器に一体的に装着して売られている。
図３は従来の詰め替え用の包装袋とトリガータイプディスペンサー容器にこの詰め替え用の包装袋が装着されているときの様子を示している。すなわち、この従来例においては、例えば図３のａに示すように、ヒートシール性を有する表裏２枚のプラスチックフィルムの周縁部をヒートシールして得られる充填部１とそれに連設する嵌合部２とを具備する詰め替え用の包装袋３を、その嵌合部２の一側端の嵌合口４を図３のｂに示すようにディスペンサー容器７のディスペンサーの頂部８に包み込むように被せ、容器７に一体的に装着するようになっている。
この包装袋３は図からも明らかなように、嵌合部２のシール部５の一部が半島状に融着され、一対の突起６が形成されており、容器７のディスペンサーの頂部８を嵌合部２の開口された嵌合口４から挿入して嵌合させると、ここにディスペンサーの頂部８の長手方向両端部が引っかかり、固定できるようになっている。
【０００５】
しかし、このようにして容器に一体的に装着するタイプの包装袋は、ディスペンサーの頂部に嵌合部を単に被せて融着部の半島状の突起で止めるだけの構造であるため、容器から外れやすく、しかも容器に対するホールド性に欠けていた。
【０００６】
一方、図４は、詰め替え用の包装袋とこの包装袋がポンプディスペンサー容器に一体的に装着されている、いわゆる「首掛けパック方式」と言われる詰め替え用の包装袋の装着状態を示している。この包装袋１０は図４のａに示すように、ヒートシール性を有する表裏２枚のプラスチックフィルムの周縁部をヒートシールして得られる充填部１１と、ディスペンサー容器１４の首部１５に嵌合させるための嵌合用の穴１３を１個設けた嵌合部１２を前記充填部１１に連設させた構成となっている。
【０００７】
このような構成の包装袋１０は図４のｂに示すように、嵌合部１３に容器の首部１５を嵌合させた後、充填部１１を容器１４の肩部と側壁に沿って垂れ下げるようにして容器１４に一体的に装着するようになっている。
【０００８】
しかし、このような包装袋１０は装着時に首部１５を中心として不用意に回転してしまい、装着時の安定性に欠けていた。また、充填部１１の高さが容器の首部の高さまでの範囲でしか設定できない。従って、詰め替えに必要な充填量の確保は、充填部の幅や厚みを拡げることによって行うことになる。例えば、充填部の横幅を容器と同じように体裁良く、しかも幅狭のスペースで展示できるように設定しようとすると、厚みの方は容器のそれと略同じ位に設定せざるを得ず、容器への装着時の安定性や展示時の見栄えが良くなかった。
【０００９】
【発明が解決しようとする課題】
本発明は上記の事情に鑑みなされたものであり、トリガータイプディスペンサー容器に装着して使用される詰め替え用の包装袋であって、容器に一体的に安定性良く装着でき、しかも容器への詰め替えに必要となる液状物の量をその幅や厚みを従来のものより少なくして確保でき、更には容器上部に広告、宣伝部分を設定しつつディスペンサーの頂部の汚れをも防止することが可能な包装袋を提供することを目的とする。
【００１０】
【課題を解決するための手段】
上記目的を達成するため、請求項１の発明は、少なくとも表裏２枚のフィルムの周縁をシールして成る充填部とこの充填部に連設する嵌合部とを具備し、トリガータイプディスペンサー容器の所望部分に嵌合部で嵌合させ、容器に一体的に装着するようにした詰め替え用の包装袋であって、嵌合部には前記容器のトリガー並びに首部に嵌合させる穴を有すると共に、嵌合用の穴にトリガーと首部とを共に嵌合させた後にディスペンサーの頂部を包み込むように嵌合部を折り返すことにより、トリガータイプディスペンサー容器と一体的に装着できるようになっていることを特徴とする包装袋である。
【００１１】
また、請求項２の発明は、充填部の高さはディスペンサーの天面までの高さと略同じで、しかも嵌合部の高さは、嵌合用の穴にトリガーと首部とを共に嵌合させた後にディスペンサーの頂部を包み込むように嵌合部を折り返してトリガータイプディスペンサー容器に装着したときに充填部の底部が容器の底部と略同一面に位置するように設定されていることを特徴とする包装袋である。
【００１２】
さらにまた、請求項３の発明は、嵌合部の一部には、容器への装着時にディスペンサーの頂部を包み込むように嵌合部を折り返すとディスペンサーの天面に位置するように表示部が設けられていることを特徴とする包装袋である。
【００１３】
【発明の実施の形態】
以下、本発明による一実施形態につき図面を参照にして説明する。
【００１４】
図１は、本実施形態による包装袋の概略の構成を示す説明図である。
本実施形態による包装袋３０は、図１に示すように、基本的には、表裏２枚のフィルムの周縁をシールして成る充填部３１とこの充填部３１に連設する嵌合部３２と、トリガータイプディスペンサー容器のトリガーと首部を嵌合させるための嵌合用の穴３３，３４とを少なくとも具備する。
【００１５】
包装袋に使用されるフィルムは、溶融接着可能な公知のものを使用することができる。具体的には、ポリプロピレンフィルム、ポリエステルフィルム、ポリアミドフィルム等の各種フィルムを基材とし、これらに線状低密度ポリエチレン、低密度ポリエチレン、ポリプロピレン、エチレン−酢酸ビニール共重合体等のポリオレフィン系の熱接着性樹脂をシーラント層として積層した複合フィルム等が使用できる。
【００１６】
これらのフィルムにはガスバリアー性を向上させるために、珪素、アルミニウム、チタン等の無機化合物蒸着層を設けたりしてもよい。
【００１７】
包装袋はこれらのフィルムを用いてインパルスシールや熱板シール等の熱溶融接着手段により周縁等を溶融接着することにより製袋する。
本実施形態においては、図にも示すように、これらの熱溶融接着手段により周縁シール部３５並びに連設用シール部３６で接着することにより、充填部３１とそれに連設される嵌合部３２とを具備する包装袋３０としている。
充填部と嵌合部の連設形態はこれに限定されるものではなく、連設用シール部を介さないで充填部と嵌合部とが直に連設されていてもよい。
【００１８】
嵌合部３２はこの包装袋３０をトリガータイプディスペンサー容器４０に一体的に装着するための部分であり、その一部に容器４０のトリガー４１と首部４２を嵌合させるための穴３３、３４を一対穿孔されている。図２にはこれらの穴３３、３４に容器４０のトリガー４１と首部４２のそれぞれをを嵌合させた時の状態を示している。包装袋３０を容器４０に装着する場合には、容器４０のトリガー４１と首部４２を嵌合部３２のそれぞれの穴３３、３４に嵌合させた後、図２のａとｂに示すように、ディスペンサーの頂部４５を包み込むように折り返し、充填部３１を容器４０の側壁に添わせるようにすればよい。
一対の穴３３、３４への嵌合とディスペンサーの頂部の包み込みにより、包装袋３０は容器４０に一体的に安定性良く装着できるようになる。
【００１９】
トリガーと首部を嵌合させるための穴は一対である必要はない。図５に示すように、トリガーと首部とを嵌合する部位を有する一穴タイプの嵌合用の穴５０であってもよい。
【００２０】
一方、充填部の高さは特に限定されないが、本実施形態においては、充填部３１の高さはディスペンサーの天面までの高さと略同じで、しかも嵌合部３２の高さは、嵌合用の穴３３、３４にトリガー４１と首部４２を共に嵌合させた後にディスペンサーの頂部４５を包み込むように嵌合部３２を折り返して容器４０に装着した時に、充填部の底部４７と容器４０の底部４８とが同一面に位置するようにそれぞれ設定されている。
従って、このように設定されたを包装袋３０であれば、容器への装着時に包装袋３０と容器４０の両方の底部４７、４８で支えることになるため、極めて安定的に両者を保持することが可能となり、見栄えもよくなる。
【００２１】
また、充填部の高さがディスペンサーの天面と略同じ高さで設定できるようになると、従来の首部近辺までの高さまでしか設定できなかったものに比べ、同じ容量の液状物を充填した場合、本発明によるものは充填部の高さを高くできるようになった分、袋の幅を狭くしたり厚みを少なくすることが可能となるため、容器へのより一体的な装着が可能となる。
更に、容器への装着をより一体的にするため、包装袋側面が容器の側壁に密着して装着されるように、例えば包装袋の水平方向での断面形状が三日月状の形状になるようにしておいても良い。
【００２２】
一方、本実施形態では嵌合部３２の一部に未シールの表示部３７が設けられている。この表示部３７は広告文面等を表示してあるところである。この部分は容器への装着時に嵌合部を前記したように折り返すとディスペンサーの頂部の天面に位置するようになり、広告、表示が効率的に行われるようになる。
また、ディスペンサーの頂部はこの表示部を含む包装袋の一部で被われるようになるため、汚れ防止の効果も奏することになる。
【００２３】
また、充填部の上部には、液状物を容器に詰め替える時に充填し易いようにした注出口やこの注出口を開口し易くするための切り欠き等（図示せず）を適宜必要に応じて設けておく。
【００２４】
【発明の効果】
本発明の詰め替え用の包装袋によれば、嵌合部に設けた嵌合用の穴でトリガータイプディスペンサー容器に一体的に安定性良く装着できる。しかも、充填部の高さをディスペンサーの天面の高さと略同じ高さで設定できる。従って、充填部の高さを高くできるようになった分、容器への詰め替えに必要とする量の液状物を従来の包装袋の充填部よりその幅を狭くしたり厚みを少なくして設定した充填部で確保することができるようにもなるので、トリガータイプディスペンサー容器に対してより一体的に安定性良く装着することができる。
また、装着に際しては、嵌合部の嵌合用の穴にトリガーと首部を嵌合させてからディスペンサーの頂部を包み込むように折り返すため、容器の上部に広告、宣伝部分を設定しつつディスペンサー頂部の汚れも防ぐことが可能となる。
【図面の簡単な説明】
【図１】本発明の一実施形態による包装袋の概略を示す説明図である。
【図２】本発明の包装袋をトリガータイプディスペンサー容器に装着する際の様子を示す説明図である。
【図３】従来の詰め替え用の包装袋とトリガータイプディスペンサー容器にこの詰め替え用の包装袋が装着される時の状態を示す説明図である。
【図４】従来の他の詰め替え用の包装袋とポンプディスペンサー容器にこの詰め替え用の包装袋が装着される時の状態を示す説明図である。
【図５】本発明の他の実施形態による包装袋の説明図である。
【符号の説明】
１、１１、３１    充填部
２、１２、３２    嵌合部
３、１０、３０    包装袋
５                シール部
７、４０          トリガータイプディスペンサー容器
８、４５          頂部
３３、３４、５０  嵌合用の穴
３５ 周縁シール部
３６ 連設用シール部
３７ 表示部
４１              トリガー
４２              首部
４７、４８        底部
【図１】
0004529248.tif 000002
【図２】
0004529248.tif 000003
【図３】
0004529248.tif 000004
【図４】
0004529248.tif 000005
【図５】
0004529248.tif 000006